(57)【特許請求の範囲】
【請求項１】
電力管理回路、ＡＣ検出・高周波信号送信回路、手動スイッチ、高周波信号受信回路、遅延回路動作電源入力制御回路、配光可変ランプ動作遅延回路、ＡＣ検出回路、制御信号変換回路と配光可変ランプ駆動回路を備えた配光可変ランプ制御回路であって、
スイッチング電源電力供給と充電式電池電力供給を含む、前記配光可変ランプ制御回路の電力供給方式を選択する前記電力管理回路と、
回路のＡＣ信号を検出し、前記ＡＣ信号により高周波信号を送信する、前記ＡＣ検出・高周波信号送信回路と、
前記手動スイッチが入りの状態である場合に、前記ＡＣ検出・高周波信号送信回路の送信した高周波信号を受信する前記高周波信号受信回路と、
回路のＡＣ信号を検出し、検出結果を前記制御信号変換回路に出力する前記ＡＣ検出回路と、
前記配光可変ランプ動作遅延回路動作電源の入力を制御する前記延回路動作電源入力制御回路と、
当回路にＡＣ電流があり、かつ照明ランプが点灯している場合、配光可変ランプの点灯から消灯までの遅延時間を制御する前記配光可変ランプ動作遅延回路と、
回路の通電或いは停電状況及び前記手動スイッチの入り/切りの状態により、前記配光可変ランプ駆動回路を通して、前記配光可変ランプの点灯/消灯を制御する制御信号変換回路と、
からなり、
前記電力管理回路は、
スイッチング電源電力供給入力端子、充電式電池電力供給入力端子、電池充電管理チップ、動作電源出力端子、第一リニアレギュレータ、第一ダイオード、第二ダイオード、若干の抵抗と若干のコンデンサを備え、
前記スイッチング電源電力供給入力端子は前記第一ダイオードを通じて、それぞれ前記電池充電管理チップの電源入力ピンと前記第一リニアレギュレータの電源入力ピンに接続し、
前記充電式電池電力供給入力端子は第二ダイオードを通して、前記第一リニアレギュレータの電源入力ピンに接続し、かつ、二つの並列接続コンデンサを通して接地し、
前記第一リニアレギュレータの電源出力ピンは上記動作電源出力端子に接続し、
前記第一ダイオードの陰極はコンデンサを通して接地し、抵抗を通して上記電池充電管理チップの充電状態指示ピンに接続し、
前記充電管理チップの充電電流設定ピンは抵抗を通して接地する、
前記電力管理回路であり、
前記ＡＣ検出・高周波信号送信回路は、
第一動作電源入力端子、ＡＣ検出・高周波送信チップ、第一ＲＣネットワーク、補正チップ、第三ダイオード、第一制御信号出力端子、若干の抵抗と若干のコンデンサを備え、
前記第一動作電源入力端子は電力管理回路の動作電源出力端子に接続し、
ＡＣ検出・高周波送信チップの電源入力ピンは前記第一動作電源入力端子に接続し、
ＡＣ検出及び高周波送信チップの高周波信号出力ピンは一つの抵抗と一つのコンデンサを通して、それぞれライブラインとニュートラルラインに接続し、
前記第一ＲＣネットワークは、ＡＣ検出・高周波送信チップの高周波信号出力ピンとそのＡＣ信号検出ピンとの間に接続し、
ＡＣ検出・高周波送信チップの変調信号出力ピンは補正チップの補正信号入力ピンに接続し、
補正チップの電源入力ピンは第一動作電源入力端子に接続し、
補正チップの補正信号出力ピンは一つの抵抗と第三ダイオードを通して、第一制御信号出力端子に接続する
前記ＡＣ検出・高周波信号送信回路である、
ことを特徴とする前記配光可変ランプ制御回路。
【請求項２】
第二動作電源入力端子、高周波信号受信チップ、第二ＲＣネットワーク、サンプリングＲＣネットワーク、第四ダイオード、若干の抵抗と若干のコンデンサを備えた前記高周波信号受信回路であって、
前記第二動作電源入力端子は前記電力管理回路の動作電源出力端子に接続し、
前記高周波信号受信チップの高周波信号入力ピンは、第二ＲＣネットワークと手動スイッチを通して、それぞれライブラインとニュートラルラインに接続し、
前記高周波信号受信チップのサンプリングＲＣネットワーク入力ピンは前記サンプリングＲＣネットワークに接続し、
前記高周波信号受信チップの検出出力ピンは第四ダイオードを通して、前記ＡＣ検出・高周波信号送信回路の補正チップの補正信号入力ピンに接続する
前記高周波信号受信回路であることを特徴とする請求項１に記載された前記配光可変ランプ制御回路。
【請求項３】
スイッチング電源電力供給入力端子、充電式電池電力供給入力端子、３．３Ｖ動作電源出力端子、第一NチャネルMOS管、第二リニアレギュレータ、第一コンデンサ、第二コンデンサと若干の抵抗を備えた前記遅延回路動作電源入力制御回路であって、
前記第二リニアレギュレータの電源入力ピンは前記充電式電池電力供給入力端子に接続し、
該イネーブルピンは抵抗を通して前記充電式電池電力供給入力端子に接続し、
該電源出力ピンは３．３Ｖ動作電源出力端子に接続し、かつ、相互並列接続の第一コンデンサと第二コンデンサを通して、接地し、
前記第一NチャネルMOS管のドレインは前記第二リニアレギュレータのイネーブルピンに接続し、そのゲートは一つの抵抗を通して上記スイッチング電源電力供給入力端子に接続し、一つの抵抗を通してソースに接続し、
そのソースは接地し、一つの抵抗を通して前記第二リニアレギュレータのイネーブルピンに接続する
前記遅延回路動作電源入力制御回路であることを特徴とする請求項２に記載された前記配光可変ランプ制御回路。
【請求項４】
スイッチング電源電力供給入力端子、ＮＥ５５５クロックタイミングチップ、３．３Ｖ動作電源入力端子、第五ダイオード、第六ダイオード、第七ダイオード、第三コンデンサ、第四コンデンサ、第三制御信号出力端子と若干の抵抗を備えた前記配光可変ランプ動作遅延回路であって、
前記３．３Ｖ動作電源入力端子は遅延回路動作電源入力制御回路の３．３Ｖ動作電源出力端子に接続し、
前記スイッチング電源電力供給入力端子は第五ダイオードと抵抗を通して、前記第三制御信号出力端子に接続し、第六ダイオードの陰極に接続し、
第六ダイオードの陽極はＮＥ５５５クロックタイミングチップの第三ピンに接続し、第七ダイオードの陰極に接続し、第七ダイオードの陽極が接地し、
前記３．３Ｖ動作電源入力端子はＮＥ５５５クロックタイミングチップの第四ピンと第八ピンに接続し、
ＮＥ５５５クロックタイミングチップの第四ピンは第三コンデンサを通して該第二ピンに接続し、該第六ピンは該第二ピンに接続し、かつ、抵抗を通して接地し、
該第五ピンは第四コンデンサを通して接地する
前記配光可変ランプ動作遅延回路であることを特徴とする請求項３に記載された前記配光可変ランプ制御回路。
【請求項５】
一制御信号入力端子、第二制御信号入力端子、第三制御信号入力端子、２入力ＡＮＤゲートチップ、第八ダイオード、第二ＮチャネルＭＯＳ管と制御信号出力端子を備えた前記制御信号変換回路であって、
前記２入力ＡＮＤゲートチップは、第一入力端子と第二入力端子を含み、
前記第一制御信号入力端子は第二ＮチャネルＭＯＳ管のゲートに接続し、
第二制御信号入力端子はＡＣ検出回路の出力端子に接続し、かつ、前記２入力ＡＮＤゲートチップの第一入力端子に接続し、
前記第三制御信号入力端子は前記２入力ＡＮＤゲートチップの第二入力端子に接続し、
前記２入力ＡＮＤゲートチップの出力端子は第八ダイオードの陽極に接続し、
第八ダイオードの陰極は第二ＮチャネルＭＯＳ管のゲートに接続し、
第二ＮチャネルＭＯＳ管のソースが接地し、該ドレインは上記制御信号出力端子に接続する
前記制御信号変換回路であることを特徴とする請求項４に記載された前記配光可変ランプ制御回路。
【請求項６】
充電式電池電力供給入力端子、配光可変ランプ駆動チップ、第九ダイオード、インダクタンス、配光可変ランプ、若干の抵抗と若干のコンデンサを備えた前記配光可変ランプ駆動回路であって、
前記配光可変ランプ駆動チップのイネーブルピンは前記制御信号変換回路の制御信号出力端子に接続し、
前記充電式電池電力供給入力端子はインダクタンスを通して、前記第九ダイオードの陽極に接続し、
前記第九ダイオードの陰極は配光可変ランプの陽極に接続し、
前記配光可変ランプ駆動チップの駆動出力端子は前記第九ダイオードを通して、配光可変ランプの陽極に接続し、配光可変ランプの陰極が接地する
前記配光可変ランプ駆動回路であることを特徴とする請求項５に記載された前記配光可変ランプ制御回路。
【請求項７】
前記ＡＣ検出回路は、回路ＡＣ信号検知のセンサーであることを特徴とする請求項６に記載された前記配光可変ランプ制御回路。
【請求項８】
電力管理回路、ＡＣ検出・高周波信号送信回路、手動スイッチ、高周波信号受信回路、遅延回路動作電源入力制御回路、配光可変ランプ動作遅延回路、ＡＣ検出回路、制御信号変換回路と配光可変ランプ駆動回路を備えた前記配光可変ランプ制御回路であって、
前記電力管理回路は、前記配光可変ランプ制御回路の、スイッチング電源電力供給と充電式電池電力供給を含む前記電力供給方式を選択し、
前記ＡＣ検出・高周波信号送信回路は、回路のＡＣ信号を検出し、前記ＡＣ信号により高周波信号を送信し、
前記高周波信号受信回路は、前記手動スイッチが入りの状態である場合、前記ＡＣ検出・高周波信号送信回路の送信した高周波信号を受信し、
前記ＡＣ検出回路は、回路のＡＣ信号を感知し、検出結果を前記制御信号変換回路に出力し、
前記遅延回路動作電源入力制御回路は、前記配光可変ランプ動作遅延回路動作電源の入力を制御し、
前記配光可変ランプ動作遅延回路は、当回路にＡＣ電流があり、かつ照明ランプが消灯状態である場合、配光可変ランプの点灯から消灯までの遅延時間を制御し、
前記制御信号変換回路は、回路の通電或いは停電状況と前記手動スイッチの入り/切の状態により、前記配光可変ランプ駆動回路を通して、配光可変ランプの点灯/消灯を制御し、
前記電力管理回路は、
スイッチング電源電力供給入力端子、充電式電池電力供給入力端子、電池充電管理チップ、動作電源出力端子、第一リニアレギュレータ、第一ダイオード、第二ダイオード、若干の抵抗と若干のコンデンサを備え、
前記スイッチング電源電力供給入力端子は前記第一ダイオードを通じて、それぞれ前記電池充電管理チップの電源入力ピンと前記第一リニアレギュレータの電源入力ピンに接続し、
前記充電式電池電力供給入力端子は第二ダイオードを通して、前記第一リニアレギュレータの電源入力ピンに接続し、かつ、二つの並列接続コンデンサを通して接地し、
前記第一リニアレギュレータの電源出力ピンは上記動作電源出力端子に接続し、
前記第一ダイオードの陰極はコンデンサを通して接地し、抵抗を通して上記電池充電管理チップの充電状態指示ピンに接続し、
前記充電管理チップの充電電流設定ピンは抵抗を通して接地する、
前記電力管理回路であり、
前記ＡＣ検出・高周波信号送信回路は、
第一動作電源入力端子、ＡＣ検出・高周波送信チップ、第一ＲＣネットワーク、補正チップ、第三ダイオード、第一制御信号出力端子、若干の抵抗と若干のコンデンサを備え、
前記第一動作電源入力端子は電力管理回路の動作電源出力端子に接続し、
ＡＣ検出・高周波送信チップの電源入力ピンは前記第一動作電源入力端子に接続し、
ＡＣ検出及び高周波送信チップの高周波信号出力ピンは抵抗とコンデンサを通して、それぞれライブラインとニュートラルラインに接続し、
前記第一ＲＣネットワークは、ＡＣ検出・高周波送信チップの高周波信号出力ピンとそのＡＣ信号検出ピンとの間に接続し、
ＡＣ検出・高周波送信チップの変調信号出力ピンは補正チップの補正信号入力ピンに接続し、
補正チップの電源入力ピンは第一動作電源入力端子に接続し、
補正チップの補正信号出力ピンは抵抗を通じて、第三ダイオードと第一制御信号出力端子に接続する
前記ＡＣ検出・高周波信号送信回路である、
ことを特徴とする前記配光可変ランプ制御回路を備えた前期配光可変ランプ制御板。
【請求項９】
第二動作電源入力端子、高周波信号受信チップ、第二ＲＣネットワーク、サンプリングＲＣネットワーク、第四ダイオード、若干の抵抗と若干のコンデンサを備えた前記高周波信号受信回路であって、
前記第二動作電源入力端子は前記電力管理回路の動作電源出力端子に接続し、
前記高周波信号受信チップの高周波信号入力ピンは前記第二ＲＣネットワークと前記手動スイッチを通して、それぞれライブラインとニュートラルラインに接続し、
前記高周波信号受信チップのサンプリングＲＣネットワーク入力ピンは前記サンプリングＲＣネットワークに接続し、
前記高周波信号受信チップの検出出力ピンは前記第四ダイオードを通して、前記ＡＣ検出・高周波信号送信回路の補正チップの補正信号入力ピンに接続する
前記高周波信号受信回路であることを特徴とする請求項８に記載された前記配光可変ランプ制御板。
【請求項１０】
スイッチング電源電力供給入力端子、充電式電池電力供給入力端子、３．３Ｖ動作電源出力端子、第一NチャネルMOS管、第二リニアレギュレータ、第一コンデンサ、第二コンデンサと若干の抵抗を備えた前記遅延回路動作電源入力制御回路であって、
前記第二リニアレギュレータの電源入力ピンは前記充電式電池電力供給入力端子に接続し、そのイネーブルピンは抵抗を通して前記充電式電池電力供給入力端子に接続し、その電源出力ピンは前記３．３Ｖ動作電源出力端子に接続し、かつ、並列接続の第一コンデンサと第二コンデンサを通して接地し、
前記第一ＮチャネルＭＯＳ管のドレインは前記第二リニアレギュレータのイネーブルピンに接続し、該ゲート抵抗を通して前記スイッチング電源電力供給入力端子に接続し、該別の抵抗を通してソースに接続し、該ソースが接地し、一つの抵抗を通して前記第二リニアレギュレータのイネーブルピンに接続する
前記遅延回路動作電源入力制御回路であることを特徴とする請求項９に記載される前記配光可変ランプ制御板。
【請求項１１】
スイッチング電源電力供給入力端子、ＮＥ５５５クロックタイミングチップ、３．３Ｖ動作電源入力端子、第五ダイオード、第六ダイオード、第七ダイオード、第三コンデンサ、第四コンデンサ、第三制御信号出力端子と若干の抵抗を備えた前記配光可変ランプ動作遅延回路であって、
前記３．３Ｖ動作電源入力端子は遅延回路動作電源入力制御回路の３．３Ｖ動作電源出力端子に接続し、
前記スイッチング電源電力供給入力端子は第五ダイオードと抵抗を通して、前記第三制御信号出力端子に接続し、第六ダイオードの陰極に接続し、第六ダイオードの陽極はＮＥ５５５クロックタイミングチップの第三ピンに接続し、第七ダイオードの陰極に接続する。第七ダイオードの陽極が接地し、
前記３．３Ｖ動作電源入力端子はＮＥ５５５クロックタイミングチップの第四ピンと第八ピンに接続し、ＮＥ５５５クロックタイミングチップの第四ピンは第三コンデンサを通して該第二ピンに接続し、該第六ピンは該第二ピンに接続し、抵抗を通して接地し、該第五ピンは第四コンデンサを通して接地する
前記配光可変ランプ動作遅延回路であることを特徴とする請求項１０に記載された上記の配光可変ランプ制御板。
【請求項１２】
第一制御信号入力端子、第二制御信号入力端子、第三制御信号入力端子、２入力ＡＮＤゲートチップ、第八ダイオード、第二ＮチャネルＭＯＳ管と制御信号出力端子を備えた前記制御信号変換回路であって、
前記２入力ＡＮＤゲートチップは第一入力端子と第二入力端子を含み、
前記第一制御信号入力端子は第二ＮチャネルＭＯＳ管のゲートに接続し、第二制御信号入力端子はＡＣ検出回路の出力端子に接続し、かつ、記２入力ＡＮＤゲートチップの第一入力端子に接続し、
前記第三制御信号入力端子は前記２入力ＡＮＤゲートチップの第二入力端子に接続し、
前記２入力ＡＮＤゲートチップの出力端子は第八ダイオードの陽極に接続し、第八ダイオードの陰極は第二ＮチャネルＭＯＳ管のゲートに接続し、第二ＮチャネルＭＯＳ管のソースが接地し、該ドレインは前記制御信号出力端子に接続する
前記制御信号変換回路であることを特徴とする請求項１１に記載された前記配光可変ランプ制御板。
【請求項１３】
充電式電池電力供給入力端子、配光可変ランプ駆動チップ、第九ダイオード、インダクタンス、配光可変ランプ、若干の抵抗と若干のコンデンサを備えた前配光可変ランプ駆動回路であって、
前記配光可変ランプ駆動チップのイネーブルピンは上記制御信号変換回路の制御信号出力端子に接続し、
前記充電式電池電力供給入力端子は前記インダクタンスを通して前記第九ダイオードの陽極に接続し、
前記第九ダイオードの陰極は配光可変ランプの陽極に接続し、
前記配光可変ランプ駆動チップの駆動出力端子は前記第九ダイオードを通して配光可変ランプの陽極に接続し、配光可変ランプの陰極が接地する
前配光可変ランプ駆動回路であるとこを特徴とする請求項１２に記載された上記配光可変ランプ制御板。
【請求項１４】
前記ＡＣ検出回路は、回路ＡＣ信号検出用のセンサーであることを特徴とする請求項１３に記載された前記配光可変ランプ制御板。
【発明の詳細な説明】
【技術分野】
【０００１】
本発明は配光可変ランプ技術分野に関し、特に、事務所用照明、家庭用照明及び非常用照明に使用される配光可変ランプ制御回路と配光可変ランプ制御板に関する。
【背景技術】
【０００２】
既存技術の配光可変ランプ制御回路は、回路のライブラインとニュートラルラインのいずれかにＡＣ信号がない場合、配光可変ランプを点灯する。しかし、配光可変ランプが点灯した後、必要に応じて、手動で消灯を制御できない。それに、既存技術の配光可変ランプ制御回路は、回路にＡＣ電流があり、かつ照明ランプが消灯している場合、回路の配光可変ランプの点灯時間を制御できない。すなわち、回路にＡＣ電流があり、かつ照明ランプが消灯している場合、配光可変ランプを点灯したら一定時間後自動的に消灯することができない。したがって、人々が寝る前に照明ランプを消灯した後、配光可変ランプ制御回路は非常用照明とすることができない。
【発明の概要】
【発明が解決しようとする課題】
【０００３】
本発明の主要目的は、一般照明と非常用照明に使用され、警告灯の役割を果たし、さらに手動スイッチを通して配光可変ランプの点灯/消灯を制御できる、配光可変ランプ制御回路と配光可変ランプ制御板を提供することである。
【課題を解決するための手段】
【０００４】
本発明は、電力管理回路、ＡＣ検出・高周波信号送信回路、手動スイッチ、高周波信号受信回路、遅延回路動作電源入力制御回路、配光可変ランプ動作遅延回路、ＡＣ検出回路、制御信号変換回路と配光可変ランプ駆動回路からなる配光可変ランプ制御回路であって、スイッチング電源電力供給と充電式電池電力供給を含む、配光可変ランプ制御回路の電力供給方式を選択する前記電力管理回路と、回路のＡＣ信号を検出し、前記ＡＣ信号により高周波信号を送信する、前記電流検出及び高周波信号送信回路と、手動スイッチが入りの状態である場合に、前記ＡＣ検出・高周波信号送信回路の送信した高周波信号を受信する前記波信号受信回路と、回路のＡＣ信号を検出し、検出結果を上記制御信号変換回路に出力する前記電流検出回路と、前記可変ランプ動作遅延回路動作電源の入力を制御する前記回路動作電源入力制御回路と、当回路にＡＣ電流があり、かつ照明ランプが点灯している場合、配光可変ランプの点灯から消灯までの遅延時間を制御する前記可変ランプ動作遅延回路と、回路の通電或いは停電状況及び前記手動スイッチの入/切状態により、配光可変ランプ駆動回路を通して、前記配光可変ランプの点灯/消灯を制御する前記信号変換回路とからなる配光可変ランプ制御回路である。
【０００５】
好ましくは、当回路にＡＣ電流があり、かつ照明ランプが点灯している場合には、前記遅延回路動作電源入力制御回路は前記配光可変ランプ動作遅延回路に３．３Ｖの動作電源を提供し、前記配光可変ランプ動作遅延回路は動作し、当回路にＡＣ電流があり、かつ照明ランプが点灯している場合には、前記遅延回路動作電源入力制御回路は前記配光可変ランプ動作遅延回路に３．３Ｖの動作電源を提供せず、前記配光可変ランプ動作遅延回路は動作しない。
【０００６】
好ましくは、スイッチング電源電力供給入力端子、充電式電池電力供給入力端子、電池充電管理チップ、動作電源出力端子、第一リニアレギュレータ、第一ダイオード、第二ダイオード、若干の抵抗と若干のコンデンサからなる前記電力管理回路であって、前記スイッチング電源電力供給入力端子は第一ダイオードを通して、それぞれ電池充電管理チップの電源入力ピンと第一リニアレギュレータの電源入力ピンに接続し、前記充電式電池電力供給入力端子は第二ダイオードを通して、前記第一リニアレギュレータの電源入力ピンに接続し、二つの並列接続コンデンサを通して接地し、前記第一リニアレギュレータの電源出力ピンは上記動作電源出力端子に接続し、前記第一ダイオードの陰極はコンデンサを通して接地し、抵抗を通して上記電池充電管理チップの充電状態指示ピンに接続し、前記充電管理チップの充電電流設定ピンは抵抗を通して接地する電力管理回路である。
【０００７】
好ましくは、第一動作電源入力端子、ＡＣ検出・高周波送信チップ、第一ＲＣネットワーク、補正チップ、第三ダイオード、第一制御信号出力端子、若干の抵抗と若干のコンデンサからなる前記ＡＣ検出・高周波信号送信回路であって、前記第一動作電源入力端子は電力管理回路の動作電源出力端子に接続し、ＡＣ検出・高周波送信チップの電源入力ピンは前記第一動作電源入力端子に接続し、ＡＣ検出・高周波送信チップの高周波信号出力ピンは抵抗とコンデンサを通して、それぞれライブラインとニュートラルラインに接続し、前記第一ＲＣネットワークは、ＡＣ検出・高周波送信チップの高周波信号出力ピンと該ＡＣ信号検出ピンとの間に接続し、ＡＣ検出・高周波送信チップの変調信号出力ピンは補正チップの補正信号入力ピンに接続し、補正チップの電源入力ピンは第一動作電源入力端子に接続し、補正チップの補正信号出力ピンは抵抗と第三ダイオードを通して、第一制御信号出力端子に接続する。
【０００８】
好ましくは、第二動作電源入力端子、高周波信号受信チップ、第二ＲＣネットワーク、サンプリングＲＣネットワーク、第四ダイオード、若干の抵抗と若干のコンデンサからなる前記高周波信号受信回路であって、前記第二動作電源入力端子は前記電力管理回路の動作電源出力端子に接続し、前記高周波信号受信チップの高周波信号入力ピンは、第二ＲＣネットワークと手動スイッチを通して、それぞれライブラインとニュートラルラインに接続し、前記高周波信号受信チップのサンプリングＲＣネットワーク入力ピンは前記サンプリングＲＣネットワークに接続し、前記高周波信号受信チップの検出出力ピンは第四ダイオードを通して、ＡＣ検出・高周波信号送信回路の補正チップの補正信号入力ピンに接続する。
【０００９】
好ましくは、スイッチング電源電力供給入力端子、充電式電池電力供給入力端子、３．３Ｖ動作電源出力端子、第一ＮチャネルＭＯＳ管、第二リニアレギュレータ、第一コンデンサ、第二コンデンサと若干の抵抗からなる前記遅延回路動作電源入力制御回路であって、前記第二リニアレギュレータの電源入力ピンは前記充電式電池電力供給入力端子に接続し、該イネーブルピンは抵抗を通して前記充電式電池電力供給入力端子に接続し、該電源出力ピンは３．３Ｖ動作電源出力端子に接続し、相互並列接続の第一コンデンサと第二コンデンサを通して、接地し、前記第一ＮチャネルＭＯＳ管のドレインは前記第二リニアレギュレータのイネーブルピンに接続し、該ゲートは一つの抵抗を通して上記スイッチング電源電力供給入力端子に接続し、一つの抵抗を通して該ソースに接続し、該ソースは接地し、一つの抵抗を通して上記第二リニアレギュレータの該イネーブルピンに接続する。
【００１０】
好ましくは、スイッチング電源電力供給入力端子、ＮＥ５５５クロックタイミングチップ、３．３Ｖ動作電源入力端子、第五ダイオード、第六ダイオード、第七ダイオード、第三コンデンサ、第四コンデンサ、第三制御信号出力端子と若干の抵抗からなる前記配光可変ランプ動作遅延回路であって、前記３．３Ｖ動作電源入力端子は遅延回路動作電源入力制御回路の３．３Ｖ動作電源出力端子に接続し、前記スイッチング電源電力供給入力端子は第五ダイオードと抵抗を通して、第三制御信号出力端子に接続し、第六ダイオードの陰極に接続し、前記第六ダイオードの陽極はＮＥ５５５クロックタイミングチップの第三ピンに接続し、第七ダイオードの陰極に接続し、該第七ダイオードの陽極が接地し、前記３．３Ｖ動作電源入力端子はＮＥ５５５クロックタイミングチップの第四ピンと第八ピンに接続し、ＮＥ５５５クロックタイミングチップの第四ピンは第三コンデンサを通して該第二ピンに接続し、該第六ピンは該第二ピンに接続し、抵抗を通して接地し、該第五ピンは第四コンデンサを通して接地する。
【００１１】
好ましくは、第一制御信号入力端子、第二制御信号入力端子、第三制御信号入力端子、２入力ＡＮＤゲートチップ、第八ダイオード、第二ＮチャネルＭＯＳ管と制御信号出力端子からなる前記制御信号変換回路であって、前記２入力ＡＮＤゲートチップは、第一入力端子と第二入力端子を含み、前記第一制御信号入力端子は第二ＮチャネルＭＯＳ管のゲートに接続し、第二制御信号入力端子はＡＣ検出回路の出力端子に接続し、前記２入力ＡＮＤゲートチップの第一入力端子に接続し、上記第三制御信号入力端子は前記２入力ＡＮＤゲートチップの第二入力端子に接続し、前記２入力ＡＮＤゲートチップの出力端子は第八ダイオードの陽極に接続し、第八ダイオードの陰極は第二ＮチャネルＭＯＳ管のゲートに接続し、前記第二ＮチャネルＭＯＳ管のソースが接地し、該ドレインは上記制御信号出力端子に接続する。
【００１２】
好ましくは、充電式電池電力供給入力端子、配光可変ランプ駆動チップ、第九ダイオード、インダクタンス、配光可変ランプ、若干の抵抗と若干のコンデンサからなる配光可変ランプ駆動回路であって、前記配光可変ランプ駆動チップのイネーブルピンは制御信号変換回路の制御信号出力端子に接続し、前記充電式電池電力供給入力端子はインダクタンスを通して、前記第九ダイオードの陽極に接続し、前記第九ダイオードの陰極は配光可変ランプの陽極に接続し、前記配光可変ランプ駆動チップの駆動出力端子は前記第九ダイオードを通して、配光可変ランプの陽極に接続し、配光可変ランプの陰極が接地する。
【００１３】
好ましくは、前記ＡＣ検出回路は、回路ＡＣ信号検知用のセンサーである。
【００１４】
本発明は、電力管理回路、ＡＣ検出・高周波信号送信回路、手動スイッチ、高周波信号受信回路、遅延回路動作電源入力制御回路、配光可変ランプ動作遅延回路、ＡＣ検出回路、制御信号変換回路と配光可変ランプ駆動回路からなる配光可変ランプ制御回路であって、前記電力管理回路は、前記配光可変ランプ制御回路の、スイッチング電源電力供給と充電式電池電力供給からなる電力供給方式を選択し、前記ＡＣ検出・高周波信号送信回路は、回路のＡＣ信号を検出し、上記ＡＣ信号により高周波信号を送信し、前記高周波信号受信回路は、前記手動スイッチが入りの状態である場合、前記ＡＣ検出・高周波信号送信回路の送信した高周波信号を受信し、前記ＡＣ検出回路は、回路のＡＣ信号を感知し、検出結果を前記制御信号変換回路に出力し、前記遅延回路動作電源入力制御回路は、前記配光可変ランプ動作遅延回路動作電源の入力を制御し、前記配光可変ランプ動作遅延回路は、回路にＡＣ電流があり、かつ照明ランプが消灯状態である場合、配光可変ランプの点灯から消灯までの遅延時間を制御し、前記制御信号変換回路は、回路の通電或いは停電状況と前記手動スイッチの入／切の状態により、前記配光可変ランプ駆動回路を通して、配光可変ランプの点灯/消灯を制御する前記配光可変ランプ制御回路からなる前期配光可変ランプ制御板である。
【００１５】
本発明で提供した配光可変ランプ制御回路は、ＡＣ検出回路のＡＣ信号感知状況、高周波信号受信回路の受信した高周波信号、及び配光可変ランプ動作遅延回路の動作状況により、配光可変ランプの点灯/消灯を制御し、回路にＡＣ電流があり、かつ照明ランプが点灯している場合、本発明の配光可変ランプ制御回路は、配光可変ランプを自動的に消灯し、回路にＡＣ電流があるが、照明ランプが消灯している場合、または回路にＡＣ電流がない場合、本発明の配光可変ランプ制御回路は、配光可変ランプを点灯する。そして、回路にＡＣ電流があるが、照明ランプが消灯状態である場合、本発明の配光可変ランプ制御回路は、配光可変ランプを一定時間点灯した後、自動的に消灯し、非常用照明の目的を実現する。一方、回路にＡＣ電流がない場合、本発明の配光可変ランプ制御回路は、手動スイッチを通して、配光可変ランプの点灯/消灯を制御できる。本発明の配光可変ランプ制御回路の配光可変ランプは、一般照明と非常用照明に用いられるだけでなく、警告灯の役割を果たすことができる。また、回路の手動スイッチを通して配光可変ランプの点灯/消灯を制御できる。
【発明の効果】
【００１６】
本発明は、ＡＣ検出回路のＡＣ信号感知状況、高周波信号受信回路の受信した高周波信号、及び配光可変ランプ動作遅延回路の動作状況により、配光可変ランプの点灯/消灯を制御できる。当回路にＡＣ電流があり、かつ照明ランプが点灯している場合、本発明の配光可変ランプ制御回路は自動的に配光可変ランプを消灯することができる。当回路にＡＣ電流があり、照明ランプが消灯している場合、または回路にＡＣ電流がなく、本発明の配光可変ランプ制御回路は配光可変ランプを点灯状態にすることができる。そして、当回路にＡＣ電流がり、照明ランプが消灯状態である場合、本発明の配光可変ランプ制御回路は、配光可変ランプを一定時間点灯後、自動的に消灯し、非常用照明の目的を実現する。一方、当回路にＡＣ電流がなく、本発明の配光可変ランプ制御回路は、手動スイッチを通して、配光可変ランプの点灯/消灯を制御できる。したがって、本発明の配光可変ランプ制御回路の配光可変ランプは、一般照明と非常用照明に用いることができるだけでなく、警告灯の役割を果たすことができる。また、回路の手動スイッチを通して配光可変ランプの点灯/消灯を制御できる。
【図面の簡単な説明】
【００１７】
【図１】図１は、本発明実施例の配光可変ランプ制御回路の回路ブロック図である。
【図２】図２は、本発明実施例の配光可変ランプ制御回路の電力管理回路の回路構成図である。
【図３】図３は、本発明実施例の配光可変ランプ制御回路のＡＣ検出及び高周波信号送信回路の回路構成図である。
【図４】図４は、本発明実施例の配光可変ランプ制御回路の高周波信号受信回路の回路構成図である。
【図５】図５は、本発明実施例の配光可変ランプ制御回路の遅延回路動作電源入力制御回路の回路構成図である。
【図６】図６は、本発明実施例の配光可変ランプ制御回路の配光可変ランプ動作遅延回路の回路構成図である。
【図７】図７は、本発明実施例の配光可変ランプ制御回路の制御信号変換回路の回路構成図である。
【図８】図８は、本発明実施例の配光可変ランプ制御回路の配光可変ランプ駆動回路の回路構成図である。
【発明を実施するための形態】
【００１８】
本発明の目的の実現、機能特性と利点について、実施例に合わせて、添付図を参照して、更に説明する。
【００１９】
以下に、添付図と具体的実施例により、本発明の実施形態を説明する。ここに記載される具体的実施例は、本発明の解釈用のみに用いられるものとし、本発明の限定するものではない。
【実施例１】
【００２０】
図1に本発明実施例の配光可変ランプ制御回路の回路ブロック図を示す。本発明の配光可変ランプ制御回路は、電力管理回路１０１、ＡＣ検出・高周波信号送信回路１０２、手動スイッチ１０３、高周波信号受信回路１０４、ＡＣ検出回路１０５、遅延回路動作電源入力制御回路１０６、配光可変ランプ動作遅延回路１０７、制御信号変換回路１０８、配光可変ランプ駆動回路１０９と配光可変ランプ１１０をからなる。
【００２１】
具体的には、電力管理回路１０１は、本発明の配光可変ランプ制御回路の電力供給方式を選択する。ＡＣ検出・高周波信号送信回路１０２は、回路のＡＣ電流信号を検出し、ＡＣ信号検出状況により高周波信号を送信する。高周波信号受信回路１０４は、手動スイッチ１０３が入りの状態である場合、ＡＣ検出・高周波信号送信回路１０２の送信した高周波信号を受信する。ＡＣ検出回路105は、回路のＡＣ信号を感知し、検出結果を制御信号変換回路１０８に出力する。遅延回路動作電源入力制御回路１０６は、配光可変ランプ動作遅延回路動作電源１０７の入力を制御する。本発明実施例の当回路にＡＣ電流があり、かつ照明ランプが消灯状態である場合、遅延回路動作電源入力制御回路１０６は配光可変ランプ動作遅延回路１０７に３．３Ｖの動作電源を提供し、配光可変ランプ動作遅延回路１０７は動作する。当回路にＡＣ電流があり、かつ照明ランプが点灯している場合、遅延回路動作電源入力制御回路１０６は配光可変ランプ動作遅延回路１０７に３．３Ｖの動作電源を提供せず、配光可変ランプ動作遅延回路１０７は動作しない。配光可変ランプ動作遅延回路１０７、当回路にＡＣ電流があり、かつ照明ランプが点灯している場合、配光可変ランプの点灯から消灯までの遅延時間を制御する。制御信号変換回路１０８は、当回路の通電/停電状況、手動スイッチ１０３の切/入の」状態、及び配光可変ランプ動作遅延回路１０７の動作状況により、配光可変ランプ駆動回路１０９を通して、配光可変ランプ１１０の点灯/消灯を制御する。
【００２２】
電力管理回路１０１の電力供給方式は、スイッチング電源電力供給と充電式電池電力供給を含む。ＡＣ検出回路１０５はセンサーであり、本発明実施例では、銅箔、銅紙、ＰＣＢ回路基板パッド、金属のセンサー採用することができ、回路のＡＣ信号の感知に用いられる。
【００２３】
図２に本発明実施例の配光可変ランプ制御回路の電力管理回路の回路構成図を示す。本発明実施例の電力管理回路は、スイッチング電源電力供給入力端子２０１、充電式電池電力供給入力端子２０２、第一リニアレギュレータ２０３、電池充電管理チップ２０４、動作電源出力端子２０５、第一ダイオードＤ１、第二ダイオードＤ２、コンデンサＣ１、Ｃ２、Ｃ３、抵抗Ｒ１、Ｒ２、Ｒ３をからなる。本発明実施例の電池充電管理チップ２０４の型番はＪＺ４５０４である。
【００２４】
具体的には、スイッチング電源電力供給入力端子２０１は第一ダイオードＤ１を通して電池充電管理チップ２０４の電源入力ピンに接続し、第一リニアレギュレータ２０３の電源入力ピンに接続する。充電式電池電力供給入力端子２０２は第二ダイオードＤ２を通して第一リニアレギュレータ２０３の電源入力ピンに接続し、並列接続のコンデンサＣ２、Ｃ３を通して接地する。第一リニアレギュレータ２０３の電源出力ピンは動作電源出力端子２０５に接続する。第一ダイオードＤ１の陰極はコンデンサＣ１を通して接地し、かつ抵抗R3を通して電池充電管理チップ２０４のＣＨＲＧピンに接続する。充電管理チップ２０４のＰＲＯＧピンは抵抗Ｒ２を通して接地する。抵抗Ｒ２は、充電電流の大きさを変更するために用いられる。スイッチング電源を使用して電力供給を行う場合、スイッチング電源電力供給入力端子２０１の入力した電源は、電池充電管理チップ２０４を経由し、充電電池を充電し、第一リニアレギュレータ２０３を経由し、第一リニアレギュレータ２０３によって圧力降下された後、動作電源出力端子２０５を通して動作電源VCCを出力し、配光可変ランプ制御回路に電力を供給する。スイッチング電源切りまたは回路停電の場合、スイッチング電源電力供給入力端子２０１の入力した電源は０Ｖである。その際、充電電池（図２において、「ＢＡＴＴＥＲＹ」と示す。）は第二ダイオードＤ２を通して第一リニアレギュレータ２０３に電力を供給し、充電電池は本発明の配光可変ランプ制御回路に動作電源を提供する。
【００２５】
図３に本発明実施例の配光可変ランプ制御回路のＡＣ検出・高周波信号送信回路の回路構成図を示す。本発明実施例のＡＣ検出・高周波信号送信回路は、第一動作電源入力端子３０１、ＡＣ検出・高周波送信チップ３０２、第一ＲＣネットワーク３０３、補正チップ３０４、第三ダイオードＤ３、抵抗Ｒ４、Ｒ５、Ｒ６、Ｒ７、Ｒ８、Ｒ９、コンデンサＣ４、Ｃ５、Ｃ６、Ｃ７、Ｃ８、Ｃ９、Ｃ１０と第一制御信号出力端子３０５をからなる。
【００２６】
具体的には、第一動作電源入力端子３０１は電力管理回路の動作電源出力端子２０５に接続し、ＡＣ検出・高周波送信チップ３０２の電源入力ピン（第１４ピン）は第一動作電源入力端子３０１に接続し、かつ並列接続のコンデンサＣ４、Ｃ５を通して接地する。ＡＣ検出・高周波送信チップ３０２の高周波信号出力ピンＡＮＴ（第1ピン）は抵抗Ｒ４とコンデンサＣ６を通して、ライブラインとニュートラルライン（図３において、「ＡＣ」と示す。）に接続する。抵抗Ｒ５、Ｒ６とコンデンサＣ７は第一ＲＣネットワーク３０３を構成する。この第一ＲＣネットワーク３０３は、ＡＣ検出・高周波送信チップ３０２の高周波信号出力ピンＡＮＴ（第1ピン）と該ＡＣ信号検出ピンＳＥＮＤ（第２ピン）とＳＥＮＤ１（第３ピン）の間に接続する。ＡＣ検出・高周波送信チップ３０２の変調信号出力ピンＩ／Ｏ（第８ピン）は補正チップ３０４の補正信号入力ピンＲＣ＿ＩＮ１第２ピン）に接続する。補正チップ３０４の電源入力ピンは第一動作電源入力端子３０１に接続し、二つの並列接続コンデンサＣ９、Ｃ１０を通して接地する。補正チップ３０４の補正信号出力ピンＩ／Ｏ（第３ピン）は抵抗Ｒ９を通して第三ダイオードＤ３の陽極に接続する。第三ダイオードＤ３の陰極は第一制御信号出力端子３０５に接続する。
【００２７】
当回路にＡＣ電流がある場合、ＡＣ検出・高周波送信チップ３０２のＡＣ信号検出ピンＳＥＮＤとＳＥＮＤ１（第２ピンと第８ピン）はＡＣ信号を検出することができる。その際、ＡＣ検出・高周波送信チップ３０２の高周波信号出力ピンＡＮＴ（第１ピン）は閉じる。変調信号出力ピンＩ／Ｏ（第８ピン）は変調信号を補正チップ３０４の補正信号入力ピンＲＣ＿ＩＮ１（第２ピン）に出力する。
【００２８】
当回路にＡＣ電流がない場合、ＡＣ検出・高周波送信チップ３０２のＡＣ信号検出ピンＳＥＮＤとＳＥＮＤ１（第２ピンと第３ピン）はＡＣ信号を検出していない。その際、ＡＣ検出・高周波送信チップ３０２の該変調信号出力ピンＩ／Ｏ（第８ピン）は閉じ、同時に、該高周波信号出力ピンＡＮＴ（第１ピン）は高周波信号を送信する。この高周波信号は抵抗Ｒ４とコンデンサＣ６を通して、ライブラインとニュートラルラインに伝送する。
【００２９】
補正チップ３０４は該補正信号入力ピンＲＣ_ＩＮ１（第２ピン）の信号を補正し、高レベルまたは低レベル信号（図３において、「ＳＷＩＴＣＨ」と示す。）を第一制御信号出力端子に出力する。補正チップ３０４の補正信号入力ピンＲＣ＿ＩＮ１（第２ピン）が電気信号を得る場合、該ｌ補正信号出力ピンＩ／Ｏ（第３ピン）は閉じる。該補正チップ３０４の補正信号入力ピンＲＣ_ＩＮ１（第２ピン）に電気信号がない場合、該補正信号出力ピンＩ／Ｏ（第３ピン）は高レベル信号を出力する。
【００３０】
本発明の実施例では、当回路にＡＣ電流がある場合、第一制御信号出力端子３０５の出力した信号は低レベルである。
【００３１】
図４に本発明実施例の配光可変ランプ制御回路の高周波信号受信回路の回路構成図を示す。本発明実施例の高周波信号受信回路は第二動作電源入力端子４０１、高周波信号受信チップ４０２、第二ＲＣネットワーク４０３、サンプリングＲＣネットワーク４０４、第四ダイオードＤ４、抵抗Ｒ１０、Ｒ１１、Ｒ１２、Ｒ１３、Ｒ１４、Ｒ１５、Ｒ１６、コンデンサＣ１１、Ｃ１２、Ｃ１３、Ｃ１４、Ｃ１５と手動スイッチ４０５からなる。
【００３２】
図に示したように、抵抗Ｒ１１、コンデンサＣ１2、Ｃ１3は第二ＲＣネットワーク４０３を構成する。抵抗Ｒ１０、Ｒ１２、Ｒ１３、Ｒ１４、Ｒ１５とコンデンサＣ１5はサンプリングＲＣネットワーク４０４を構成する。そのうち、第二ＲＣネットワーク４０３と手動スイッチ４０５はそれぞれライブラインとニュートラルラインに接続する。
【００３３】
具体的には、第二動作電源入力端子４０１は電力管理回路の動作電源出力端子２０５に接続する。高周波信号受信チップ４０２の高周波信号入力ピンＲＥＣＥＩＶＥ１（第１０ピン）は第二ＲＣネットワーク４０３のコンデンサＣ１2を通してライブラインに接続する。高周波信号受信チップ４０２の高周波信号入力ピンＲＥＣＥＩＶＥ（第1３ピン）は第二ＲＣネットワーク４０３の抵抗Ｒ１１を通して、コンデンサＣ１３とニュートラルラインに接続する。高周波信号受信チップ４０２のサンプリングＲＣネットワーク入力ピンＲＣ（第２ピン）、ＲＣ１（第３ピン）はサンプリングＲＣネットワーク４０４に接続する。高周波信号受信チップ４０２の検出出力ピンＯＵＴ（第８ピン）は第四ダイオードＤ４を通して、ＡＣ検出・高周波信号送信回路の補正チップ３０４の補正信号入力ピンＲＣ_ＩＮ１（第２ピン）に接続する。
【００３４】
当高周波信号受信チップ４０２の高周波信号入力ピンＲＥＣＥＩＶＥ１（第１０ピン）、ＲＥＣＥＩＶＥ（第1３ピン）が同時に高周波電気信号を受信する場合、高周波信号受信チップ４０２は動作する。該検出出力ピンＯＵＴ（第８ピン）は高電気信号（図４において、「OPＥＮ」と示す。）を出力する。この高レベル信号はＤ４、Ｃ１4、Ｒ１６を通して、ＡＣ検出・高周波信号送信回路の補正チップ３０４の補正信号入力ピンＲＣ＿ＩＮ１（第２ピン）に伝送される。高周波信号受信チップ４０２の検出出力ピンＯＵＴ（第８ピン）に高レベル信号を出力するための必要条件は、該高周波信号入力ピンＲＥＣＥＩＶＥ１（第１０ピン）、ＲＥＣＥＩＶＥ（第1３ピン）が同時に高周波電気信号を受信することである。したがって、手動スイッチ４０５が入りである場合のみ、高周波信号受信チップ４０２は動作し、該検出出力ピンＯＵＴ（第８ピン）が高レベル信号を出力する。手動スイッチ４０５が切れている場合、高周波信号受信チップ４０２は動作しない。該検出出力ピンＯＵＴ（第８ピン）は高レベル信号を出力しない。すなわち、回路にＡＣ電流がなく、かつ、手動スイッチ４０５が切れている場合、第一制御信号出力端子３０５の出力した信号は高レベルである。当回路にＡＣ電流がなく、かつ手動スイッチ４０５が入りである場合、第一制御信号出力端子３０５の出力した信号は低レベルである。
【００３５】
図５に本発明実施例の配光可変ランプ制御回路の遅延回路動作電源入力制御回路の回路構成図を示す。本発明実施例の遅延回路動作電源入力制御回路は、スイッチング電源電力供給入力端子５０１、充電式電池電力供給入力端子５０２、第一NチャネルＦＥＴ  Ｑ１、第二リニアレギュレータ５０３、３．３Ｖ動作電源出力端子５０４、第一コンデンサＣ１6、第二コンデンサＣ１7、抵抗Ｒ１７、Ｒ１８、Ｒ１９、Ｒ２０からなる。第二リニアレギュレータ５０３の電源入力ピンＶＩＮは充電式電池電力供給入力端子５０２に接続する。該イネーブルピンＥＮは抵抗Ｒ２０を通して、充電式電池電力供給入力端子５０２に接続する。該電源出力ピンＶＯＵＴは３．３Ｖ動作電源出力端子５０４に接続する。第二リニアレギュレータ５０３の電源出力ピンＶＯＵＴと地面の間に、並列接続の第一コンデンサＣ１６、第二コンデンサＣ１７が接続されている。第一NチャネルＦＥＴ  Ｑ１のドレインＤは第二リニアレギュレータ５０３のイネーブルピンＥＮに接続し、そのゲートGは抵抗Ｒ１９を通してスイッチング電源電力供給入力端子５０１に接続し、抵抗Ｒ１８を通してソースＳに接続する。ソースＳが直接に接地する。抵抗Ｒ１７を通して第二リニアレギュレータ５０３のイネーブルピンＥＮに接続する。
【００３６】
当回路にＡＣ電流があり、かつ照明ランプが点灯している場合、スイッチング電源電力供給入力端子５０１は第一ＮチャネルＦＥＴ  Ｑ１のゲートＧに高レベルを提供する。したがって、ドレインＤの電位を下げ、第二リニアレギュレータ５０３が動作しない。
【００３７】
当回路にＡＣ電流があり、かつ照明ランプが消灯状態である場合には、スイッチング電源電力供給入力端子５０１の電圧は０Ｖであり、第二リニアレギュレータ５０３の電力供給は充電電池ＢＡＴＴＥＲＹが該電源入力ピンＶＩＮに電力を供給し、同時に該イネーブルピンＥＮに電力を供給して、ＥＮは高レベルとする。その際、第二リニアレギュレータ５０３は安定な３．３Ｖ電圧を出力し、配光可変ランプ動作遅延回路（図６）に３．３Ｖの動作電源を提供する。
【００３８】
図６に本発明実施例の配光可変ランプ制御回路の配光可変ランプ動作遅延回路の回路構成図を示す。本発明実施例の配光可変ランプ動作遅延回路は、スイッチング電源電力供給入力端子６０１、ＮＥ５５５クロックタイミングチップ６０２、３．３Ｖ動作電源入力端子６０３、第三制御信号出力端子６０４、第五ダイオードＤ５、第六ダイオードＤ６、第七ダイオードＤ７、第三コンデンサＣ１８、第四コンデンサＣ１９、抵抗Ｒ２１、Ｒ２２、Ｒ２３からなる。
【００３９】
具体的には、３．３Ｖ動作電源入力端子６０３は遅延回路動作電源入力制御回路の３．３Ｖ動作電源出力端子５０４に接続する。スイッチング電源電力供給入力端子６０１は第五ダイオードＤ５の陽極に接続する。第五ダイオードＤ５の陰極は抵抗Ｒ２２を通して第三制御信号出力端子６０４に接続し（図６において、第三制御信号は「Ｂ」と示す。）、第六ダイオードＤ６の陰極に接続する。第六ダイオードＤ６の陰極は抵抗Ｒ２３を通して接地する。第六ダイオードＤ６の陽極はＮＥ５５５クロックタイミングチップ６０２の第三ピンに接続し、第七ダイオードＤ７の陰極に接続する。第七ダイオードＤ７の陽極が接地する。３．３Ｖ動作電源入力端子６０３はＮＥ５５５クロックタイミングチップ６０２の第四ピン、第八ピンに接続する。ＮＥ５５５クロックタイミングチップ６０２の第四ピンは第三コンデンサＣ１８を通してその第二ピンに接続する。ＮＥ５５５クロックタイミングチップ６０２第六ピンはその第二ピンに接続し、かつ、抵抗Ｒ２１を通して接地する。ＮＥ５５５クロックタイミングチップ６０２第五ピンは第四コンデンサＣ１９を通して接地する。
【００４０】
当回路にＡＣ電流があり、かつ照明ランプが点灯している場合、遅延回路動作電源入力制御回路は３．３Ｖ動作電源を出力しない。したがって、ＮＥ５５５クロックタイミングチップ６０２は動作しない。スイッチング電源電力供給入力端子６０１の入力した電源はＤ５、Ｒ２２を通して第三制御出力端子６０４に高レベルを提供する。
【００４１】
当回路にＡＣ電流があり、かつ照明ランプが消灯状態である場合、スイッチング電源電力供給入力端子６０１の入力した電源は０Ｖである。すなち、第三制御出力端子６０４の出力した電位は低レベルである。その際、遅延回路動作電源入力制御回路は３．３Ｖの動作電源を出力し、ＮＥ５５５クロックタイミングチップ６０２に動作電源を提供し、ＮＥ５５５クロックタイミングチップ６０２が動作する。その際、Ｃ１８を充電する。Ｃ１８の電圧上昇に伴い、ＮＥ５５５クロックタイミングチップ６０２の２、６ピンの電圧は低下する。その電圧が２／３Ｖｃｃにまで下がった時、ＮＥ５５５クロックタイミングチップ６０２の３ピンの出力は低レベルから高レベルに変わる。遅延時間はＣ１８とＲ２１の値に決められる。そのうち、Ｃ１８は数１０ｐＦ〜１０００μＦのコンデンサを使用できる。Ｒ２１の値は２Ｋ〜１０ＭΩとする。その際、ＮＥ５５５クロックタイミングチップ６０２の動作、遅延時間はＣ１８とＲ２１の値に決められる。したがって、一定の遅延時間の後、ＮＥ５５５クロックタイミングチップ６０２の第三ピンは低レベルから高レベルに変わる。その際、第三制御出力端子６０４の出力した電位は低レベルから高レベルに変わる。
【００４２】
図７に本発明実施例の配光可変ランプ制御回路の制御信号変換回路の回路構成図を示す。本発明実施例の制御信号変換回路は、第一制御信号入力端子７０１、第二制御信号入力端子７０２、第三制御信号入力端子７０３、２入力ＡＮＤゲートチップ７０４、制御信号出力端子７０５、第八ダイオードＤ８、第二ＮチャネルＭＯＳ管Ｑ２からなる。そのうち、２入力ＡＮＤゲートチップ７０４は第一入力端子と第二入力端子からなる。
【００４３】
具体的には、第一制御信号入力端子７０１はＡＣ検出・高周波信号送信回路の第一制御信号出力端子３０５に接続し、第二ＮチャネルＭＯＳ管Ｑ２のゲートGに接続する。第二制御信号入力端子７０２はＡＣ検出回路の出力端子に接続し、２入力ＡＮＤゲートチップ７０４の第一入力端子に接続する。第三制御信号入力端子７０３は配光可変ランプ動作遅延回路の第三制御信号出力端子６０４に接続し、かつ、２入力ＡＮＤゲートチップ７０４の第二入力端子に接続する。２入力ＡＮＤゲートチップ７０４の出力端子は第八ダイオードＤ８の陽極に接続する。第八ダイオードＤ８の陰極は第二ＮチャネルＭＯＳ管Ｑ２のゲートGに接続する。第二ＮチャネルＭＯＳ管Ｑ２のソースSが接地する。第二ＮチャネルＭＯＳ管Ｑ２のドレインDは制御信号出力端子７０５に接続し、かつ図８に示す配光可変ランプ駆動回路に接続する。
【００４４】
図８に本発明実施例の配光可変ランプ制御回路の配光可変ランプ駆動回路の回路構成図を示す。本発明実施例の配光可変ランプ駆動回路は、充電式電池電力供給入力端子８０１、配光可変ランプ駆動チップ８０２、第九ダイオードＤ９、インダクタンスＬ、抵抗Ｒ２４、Ｒ２５、Ｒ２６、コンデンサＣ２０、Ｃ２１、Ｃ２２と若干の配光可変ランプ（図8において、「ＬＥＤ−ＬＥＤＮ」と示す。）からなる。本実施例の配光可変ランプ駆動チップ８０２の型番はＪＺ２００７である。
【００４５】
充電式電池電力供給入力端子８０１はインダクタンスＬを通して第九ダイオードＤ９の陽極に接続する。第九ダイオードＤ９の陰極は配光可変ランプ（ＬＥＤ１、ＬＥＤ３）の陽極に接続する。配光可変ランプ駆動チップ８０２のイネーブルピンＣＥは制御信号変換回路の制御信号出力端子７０５に接続する。配光可変ランプ駆動チップ８０２の駆動出力ピンＬＸは第九ダイオードＤ９を通して、配光可変ランプ（ＬＥＤ１、ＬＥＤ３）の陽極に接続し、配光可変ランプ（ＬＥＤ１  …  ＬＥＤＮ）の陰極が接地する。
【００４６】
本発明の実施例では、当回路にＡＣ電流があり、かつ照明ランプが点灯している場合、第二制御信号入力端子７０２と第三制御信号入力端子７０３の入力した電気信号（図８において、それぞれ「ＳＥＮＳＯＲ」、「Ｂ」と示す。）は高レベルである。したがって、２入力ＡＮＤゲートチップ７０４の出力端子は高レベルである。したがって、第二ＮチャネルＭＯＳ管Ｑ２のゲートＧは高レベルであり、第二ＮチャネルＭＯＳ管Ｑ２が導通で、信号出力端子７０５の信号（図８において、「Ｙ」と示す。）を低レベルに制御する。したがって、配光可変ランプ駆動チップ８０２は動作せず、配光可変ランプは消灯する。
【００４７】
当回路にＡＣ電流があり、かつ照明ランプが消灯している場合、第一制御信号入力端子７０１の入力した信号（図８において、「ＳＷＩＴＣＨ」と示す。）は低レベルである。第二制御信号入力端子７０２の入力した信号は高レベルである。第三制御信号入力端子７０３の入力した信号（Ｂ）は低レベルである。したがって、２入力ＡＮＤゲートチップ７０４の出力端子が低レベルであり、第二ＮチャネルＭＯＳ管Ｑ２のゲートＧが低レベルであり、第二ＮチャネルＭＯＳ管Ｑ２が締め切り、信号出力端子７０５の信号（図８においては、「Ｙ」と示す。）を高レベルに制御する。したがって、配光可変ランプ駆動チップ８０２が動作し、配光可変ランプが点灯する。該ＮＥ５５５クロックタイミングチップ６０２の遅延時間タイムアップ時、第三制御信号入力端子７０３の入力した信号（Ｂ）は低レベルから高レベルに変わり、２入力ＡＮＤゲートチップ７０４の出力端子が高レベルであり、第二ＮチャネルＭＯＳ管Ｑ２のゲートＧが高レベルで、第二ＮチャネルＭＯＳ管Ｑ２が導通で、信号出力端子７０５の信号（Ｙ）を低レベルに制御する。したがって、配光可変ランプ駆動チップ８０２は動作せず、配光可変ランプは点灯から消灯に変わる。
【００４８】
当回路にＡＣ電流がなく、かつ手動スイッチ４０５が入りである場合、第一制御信号入力端子７０１の入力した電気信号（ＳＷＩＴＣＨ）は低レベルである。回路にＡＣ電流がないので、第二制御信号入力端子７０２の入力した電気信号（ＳＥＮＳＯＲ）も低レベルである。したがって、２入力ＡＮＤゲートチップ７０４の出力端子は低レベルであり、第二ＮチャネルＭＯＳ管Ｑ２のゲートＧが低レベルであり、第二ＮチャネルＭＯＳ管Ｑ２が締め切られ、信号出力端子７０５の信号（Ｙ）を高レベルに制御する。したがって、配光可変ランプ駆動チップ８０２は動作し、配光可変ランプは点灯する。
【００４９】
当回路にＡＣ電流がなく、かつ手動スイッチ４０５が切の状態である場合、第一制御信号入力端子７０１の入力した電気信号（ＳＷＩＴＣＨ）は高レベルである。したがって、第二ＮチャネルＭＯＳ管Ｑ２のゲートＧが高レベルであり、第二ＮチャネルＭＯＳ管Ｑ２が導通で、信号出力端子７０５を低レベルに制御する。したがって、配光可変ランプ駆動チップ８０２は動作せず、配光可変ランプは消灯する。
【実施例２】
【００５０】
また、本発明の第2の実施例として配光可変ランプ制御板を提供した。この配光可変ランプ制御板は配光可変ランプ制御回路を備える。配光可変ランプ制御回路の回路構成は上記配光可変ランプ制御回路の回路構成と同じであり、ここでは、再度説明しない。
【００５１】
なお、上記は、本発明の代表的な実施例であり、本発明の特許範囲を制限するものではない。本発明の説明書と添付図内容を利用して行う同等の構造や同等のプロセス変換、または直接/間接的に他の関連技術分野に適用する場合、本発明の特許保護範囲内に含まれる。
【図１】
0005828042.tif 000002
【図２】
0005828042.tif 000003
【図３】
0005828042.tif 000004
【図４】
0005828042.tif 000005
【図５】
0005828042.tif 000006
【図６】
0005828042.tif 000007
【図７】
0005828042.tif 000008
【図８】
0005828042.tif 000009